(57)【要約】【課題】  排出トレイにシートがあることを知らせる点灯手段を備えた画像形成装置であっても、排出先となっていた排出トレイとは別の排出トレイにシートが戻されると、戻されたシートの存在にユーザーが気づきにくい。【解決手段】  設定手段により第１排出トレイにシートが排出されるように設定された場合であって、第１排出トレイにシートを排出した後、検知手段が第２排出トレイにシートがあることを検知した場合は、第２の点灯手段を点灯する。【選択図】  図３
2019081651.tif 000002
【特許請求の範囲】
【請求項１】
画像が形成されたシートが排出される第１排出トレイと、
画像が形成されたシートが排出される第２排出トレイと、
前記第１排出トレイと前記第２排出トレイを含む複数の排出トレイのうちのいずれにシートを排出するかを設定する設定手段と、
前記第１排出トレイと前記第２排出トレイのそれぞれにシートがあるかどうかを検知する検知手段と、
前記第１排出トレイにシートがあることを示すために点灯する第１点灯手段と、
前記第２排出トレイにシートがあることを示すために点灯する第２点灯手段と、を有し、
前記第１排出トレイと前記第２排出トレイのうちの前記設定手段により設定された排出トレイにシートが排出されると、前記第１点灯手段と前記第２点灯手段のうちの前記設定手段により設定された排出トレイに対応した点灯手段は点灯し、
前記設定手段により前記第１排出トレイにシートが排出されるように設定された場合であって、前記第１排出トレイにシートを排出した後、前記検知手段が前記第２排出トレイにシートがあることを検知した場合は、前記第２の点灯手段を点灯することを特徴とする画像形成装置。
【請求項２】
前記設定手段により前記第１排出トレイにシートが排出されるように設定された場合であって、前記第１排出トレイにシートを排出した後、前記検知手段が前記第１排出トレイにシートが無いことを検知し、前記検知手段が前記第２排出トレイにシートがあることを検知した場合は、前記第１の点灯手段は消灯し且つ前記第２の点灯手段は点灯することを特徴とする請求項１に記載の画像形成装置。
【請求項３】
前記設定手段により前記第２排出トレイにシートが排出されるように設定された場合であって、前記第２排出トレイにシートを排出した後、前記検知手段が前記第１排出トレイにシートがあることを検知した場合に、前記第１の点灯手段が点灯する
ことを特徴とする請求項１または２に記載の画像形成装置。
【請求項４】
前記設定手段により前記第１排出トレイにシートが排出されるように設定された場合であって、前記第１排出トレイに複数枚のシートを排出した後、前記第１排出トレイにシートの有ることを検知手段が検知していて且つ前記第２排出トレイにシートが有ること検知した場合は、前記第１および第２の点灯手段を点灯することを特徴とする請求項１乃至３のいずれか１項に記載の画像形成装置。
【請求項５】
受信したファックス信号に応じた画像が形成されたシートが前記第１排出トレイには排出される場合に前記第１点灯手段が点灯することを特徴とする請求項１乃至４のいずれか１項に記載の画像形成装置。
【発明の詳細な説明】
【技術分野】
【０００１】
本発明は、シートに画像を形成する画像形成装置に関する。
【背景技術】
【０００２】
例えば、複写やファクシミリ機能を備えた画像形成装置においては、ユーザーがシートを排出トレイから取り忘れることがある。シートの取り忘れを防止するために、排出されたシートを照らす照明手段が知られている（特許文献１参照）。
【先行技術文献】
【特許文献】
【０００３】
【特許文献１】特開平１−２９４１５５号公報
【発明の概要】
【発明が解決しようとする課題】
【０００４】
複数のユーザーによって使用される画像形成装置においては、排出トレイから取り出されたシートが、シートを取り出したユーザーのものでない場合がある。この場合、ユーザーは、取り出したシートを排出トレイに戻す。ここで、画像形成装置に複数の排出トレイが配置されていると排出先となっていた排出トレイとは別の排出トレイにシートが戻されることも考えられる。特許文献１の構成では、ユーザーがシートを取り出した際に照明が消灯されてしまう。したがって、シートを受け取るべきユーザーがシートの存在に気付かなくなってしまうという課題がある。
【課題を解決するための手段】
【０００５】
本発明の画像形成装置は、画像が形成されたシートが排出される第１排出トレイと、画像が形成されたシートが排出される第２排出トレイと、前記第１排出トレイと前記第２排出トレイを含む複数の排出トレイのうちのいずれにシートを排出するかを設定する設定手段と、前記第１排出トレイと前記第２排出トレイのそれぞれにシートがあるかどうかを検知する検知手段と、前記第１排出トレイにシートがあることを示すために点灯する第１点灯手段と、前記第２排出トレイにシートがあることを示すために点灯する第２点灯手段と、を有し、前記第１排出トレイと前記第２排出トレイのうちの前記設定手段により設定された排出トレイにシートが排出されると、前記第１点灯手段と前記第２点灯のうちの、前記第１、第２点灯手段のうちの前記設定手段により設定された排出トレイに対応した点灯手段は点灯し、前記設定手段により前記第１排出トレイにシートが排出されるように設定された場合であって、前記第１排出トレイにシートを排出した後、前記検知手段が前記第２排出トレイにシートがあることを検知した場合は、前記第２の点灯手段を点灯することを特徴とする。
【発明の効果】
【０００６】
本発明によれば、排出トレイから取り出されたシートを別の排出トレイに置かれても、シートの存在を示すことが可能となる。
【図面の簡単な説明】
【０００７】
【図１】本発明に係る画像形成装置の概略断面図である。
【図２】本発明に係る画像形成装置の制御ユニットブロック図である。
【図３】第１ＬＥＤ及び第２ＬＥＤの点灯に係る制御を示したフローチャートである。
【図４】第１ＬＥＤ及び第２ＬＥＤの点灯に係る制御を示したフローチャートである。
【発明を実施するための形態】
【０００８】
図１は、本発明にかかる画像形成装置の概略断面図である。
【０００９】
画像形成装置には、画像が形成されるシートＳとして紙やＯＨＴ等を収納するカセット１１１が配置されている。カセット１１１は、図１の手前方向に引き出し可能に設けられている。
【００１０】
原稿の画像を読み取る読取センサ１７９を備えた画像読取部１５０は、画像形成装置の上部に配置されている。画像読取部１５０にはユーザーにより原稿がセットされる。画像読取部１５０によって読み取られた原稿の画像データは、コントローラ部３００（図２参照）により処理される。
【００１１】
読み取った原稿の画像データや受信したファックスの画像データに基づいた信号によって、レーザスキャナユニット１４２からレーザ光が発せられ、感光体ドラム１４１上に静電潜像が形成される。感光体ドラム１４１上の静電潜像は現像装置１４３により現像され、感光体ドラム１４１上にトナー像が形成される。感光体ドラム１４１上のトナー像は、一次転写装置１４４により所定の加圧力および静電的負荷バイアスが与えられ、中間転写ベルト１４５上にトナー像が転写される。以上説明した画像形成部１４０は図１の場合、イエローＹ、マゼンタＭ、シアンＣおよびブラックＢｋの４セット備えられている。
【００１２】
次に、中間転写ベルト１４５について説明する。支持ローラ１３１を含む複数のローラによって支持されている中間転写ベルト１４５は、図１中の矢印Ａ方向に回転駆動される。中間転写ベルト１４５には、先述のＹ、Ｍ、Ｃ、およびＢｋの各画像形成部により並列処理される。各色の画像形成プロセスは、中間転写ベルト１４５上に一次転写された上流のトナー像に重ね合わせるタイミングで行われる。その結果、最終的にはフルカラーのトナー像が中間転写ベルト１４５上に形成され、転写ローラ１３２と中間転写ベルト１４５とのニップ部である二次転写部１３０へトナー像は搬送される。
【００１３】
カセット１１１に積載された状態で収納されたシートＳは、給送部１１０により一枚ずつ分離されて給送される。給送されたシートＳは第１の搬送ローラ対１２０に受け渡され、シート搬送方向における下流側に配置されたシート斜行補正装置１０に向かって搬送される。シート斜行補正装置１０によってシートＳの斜行が補正される。その後、シートＳは、シート斜行補正装置１０を構成する第２の搬送ローラ対３０によって二次転写部１３０へと搬送される。
【００１４】
以上、それぞれ説明したシートＳの搬送プロセスと画像形成プロセスを以って、二次転写部１３０においてシートＳにフルカラーのトナー像が二次転写される。
【００１５】
トナー像が転写されたシートＳは定着装置１５５へ搬送される。定着装置１５５は、略対向するローラもしくはベルト等による所定の加圧力と、一般的にはヒータ等の熱源による加熱効果を加えてシートＳ上にトナーを溶融固着させる。
【００１６】
このようにして得られた定着画像を有するシートＳは排出ソレノイド１８１により移動される揺動ガイド１８２によって搬送先が切り替えられる。即ち、シートは、第１の排出ローラ１６０によって第１排出トレイ１７０に排出されるか、もしくは第２の排出ローラ１６１によって第２排出トレイ１７１上に排出される。第１排出トレイ１７０と第２排出トレイ１７１のいずれにシートが排出されるかは、操作者によって操作部２００にされた設定に基づいて判断される。なお、シートの両面に画像を形成する場合には、シートは、第１の排出ローラ１６０を逆回転させることによって反転搬送装置１８０へ搬送される。そしてシートは反転搬送装置１８０によって第１の搬送ローラ対１２０へ搬送される。
【００１７】
第１排出トレイ１７０には、第１排出トレイ１７０上のシートＳの有無を検知する第１トレイセンサ１７２と、第１ＬＥＤ１７４とが配置されている。第１点灯手段としての第１ＬＥＤ１７４は、点灯することによって第１排出トレイ１７０上のシートＳがあることをユーザーに示すために配置されてている。
【００１８】
第２排出トレイ１７１には、第２排出トレイ１７１上のシートＳの有無を検知する第２トレイセンサ１７３と、第２ＬＥＤ１７５とが配置される。第２点灯手段としての第２ＬＥＤ１７５は、点灯するによって第２排出トレイ１７１上にシートＳがあることをユーザーに示すために配置されている。
【００１９】
図２に画像形成装置の制御ユニットのブロック図を示す。コントローラ部３００は、ユーザーインターフェイスとのデータの交換の役割を担うものであって、画像の形成に関する詳細設定やファクシミリの送受信に関する設定などを行う操作部２００と接続される。
【００２０】
ファクシミリ受信部２９０が受信したファクシミリデータはコントローラ部３００に送られる。画像読取部１５０が読み取った原稿の画像データは、コントローラ部３００に送られる。コントローラ部３００は、送られてきたファクシミリデータや原稿の画像データを処理する。
【００２１】
コントローラ部３００は、画像形成動作にかかる制御を行う制御ユニット２５０のＣＰＵ２０１ａに接続される。ＣＰＵ２０１ａは、制御ユニット２５０に搭載されたＲＯＭ２０１ｃに格納されたプログラムによって、予め決められた画像形成シーケンスに纏わる様々なシーケンスを実行する。制御ユニット２５０は、シーケンスを実行する際、一次的または恒久的に保存することが必要な書き換え可能なデータを格納するために、ＲＡＭ２０１ｂも搭載している。ＲＡＭ２０１ｂには、例えば高圧制御部２０５への高圧設定値、後述する各種データ、操作部２００からの画像形成指令情報などを保存する。
【００２２】
画像形成装置には、装置内部の各所にモータ、ソレノイド等のＤＣ負荷及び、フォトインターラプターやマイクロスイッチ等のセンサ類２１４が配置されている。つまり、画像形成装置では、モータの駆動や各ＤＣ負荷を適宜駆動させることで、中間転写ベルト１４５や各ユニットの駆動を行っており、その動作を監視しているものがセンサ類２１４である。
【００２３】
制御ユニット２５０のＣＰＵ２０１ａは、センサ類２１４からセンサＩＦ２０９を介して送られてきた信号をもとに、モータ制御部２０７によって各モータ２１２を制御させる。制御ユニット２５０のＣＰＵ２０１ａは、ＤＣ負荷制御部２０８により、排出ソレノイド１８１を動作させる。排出ソレノイド１８１のＯＮ／ＯＦＦ制御により、シートＳは第１排出トレイ１７０もしくは第２排出トレイ１７１上へ選択的に排出される。
【００２４】
第１トレイセンサ１７２及び第２トレイセンサ１７３からの信号に基づいて制御ユニット２５０は、各トレイ上にシートがあるかどうか（シートＳがユーザーによって取り除かれたかどうか）を検知する。第１トレイセンサ１７２及び第２トレイセンサ１７３からの信号に基づいて、制御ユニット２５０のＣＰＵ２０１ａは、ＬＥＤ制御部２４０により第１ＬＥＤ１７４及び第２ＬＥＤ１７５の点灯の制御を行う。第１ＬＥＤ１７４及び第２ＬＥＤ１７５の点灯の制御については後に詳細する。
【００２５】
ＣＰＵ２０１ａは、高圧制御部２０５から各種高圧制御信号を高圧ユニット２０６に送出する。高圧ユニット２０６は一次帯電器などに適切な高圧を印加させる。定着装置１５５内に具備された定着ローラには、それぞれローラを加熱するための定着ヒータ２１１が内蔵されている。定着ヒータ２１１はＡＣドライバ２１０によってＯＮ／ＯＦＦ制御される。また、各定着ローラにはその温度を測定するためのサーミスタ２０４が設けられている。各定着ローラの温度変化に応じたサーミスタ２０４の抵抗値変化はＡ／Ｄ２０３によって電圧値に変換された後、デジタル値としてＣＰＵ２０１ａに入力される。制御ユニット２５０のＣＰＵ２０１ａは、この温度データをもとに前述のＡＣドライバ２１０を制御する。
【００２６】
ＣＰＵ２０１ａは、画像制御部１４９によって画像形成部１４０を制御する。
【００２７】
次に、第１ＬＥＤ１７４及び第２ＬＥＤ１７５の点灯の制御について、図３、４のフローチャートを用いて説明する。図３、４で示した制御は、ＲＯＭ２０１ｃに格納されたプログラムに従ってＣＰＵ２０１ａが実行する。
【００２８】
ファクシミリ受信部２９０で受信した画像データはコントローラ部３００を通じて画像制御部１４９に送られる（Ｓ１０１）。ＣＰＵ２０１ａは操作部２００によって排出先として設定された排出トレイにシートを排出するように排出ソレノイド１８１を制御する（Ｓ１０２）。なお、ここでの説明では、複数の排出トレイのうち、排出先として設定された排出トレイが、第１排出トレイ１７０であるとして説明する。
【００２９】
ＣＰＵ２０１ａは、第１排出トレイ１７０上に配置された第１トレイセンサ１７２によりシートを検知すると（センサの出力としてシート有りを示すシート検知ＯＮ）、Ｓ１０３に移行する。Ｓ１０３では、ＣＰＵ２０１ａは、ＬＥＤ制御部２４０に第１ＬＥＤ１７４を点灯させる（Ｓ１０３）。なお、以下では、トレイセンサの出力としてシート有りを示すシート検知ＯＮであることを、単にＯＮと呼ぶ。
【００３０】
その後、ユーザーによりシートが取り除かれるまでは、ＣＰＵ２０１ａは第１ＬＥＤ１７４を点灯し続ける。第１トレイセンサ１７２によってシートが無い（センサの出力としてシートが無いことを示すシート検知ＯＦＦ）と、ＣＰＵ２０１ａが判断すると（Ｓ１０４）、Ｓ１０５に移行する。Ｓ１０５において、ＣＰＵ２０１ａはＬＥＤ制御部２４０に第１ＬＥＤ１７４を消灯させる。なお、以下ではトレイセンサの出力としてシートがないことを示すシート検知ＯＦＦを単にＯＦＦとも呼ぶ。
【００３１】
ユーザーが操作部２００により変更可能な一定時間、第１トレイセンサ１７２によってシートが無いこと（ＯＦＦ）を検知したかどうかを、ＣＰＵ２０１ａは判断する（Ｓ１０６）。Ｓ１０６でＹＥＳならば、もう一方の第２排出トレイ１７１（排出先として設定されていない排出トレイ）の第２トレイセンサ１７３によってシートが有る（ＯＮ）かどうかをＣＰＵ２０１ａは判断する（Ｓ１０７）。ここで、第２トレイセンサ１７３がＯＮであってシートを検知していたら、ユーザーが第１排出トレイ１７０にあるシートを手に取り確認したが自分宛ての文書ではない為、第２排出トレイ１７１にユーザーが置いたことが想定される。そこで、ＣＰＵ２０１ａはＬＥＤ制御部２４０に第２ＬＥＤ１７５を点灯させる（Ｓ１０８）。本実施形態では、排出先として設定されていなかった排出トレイ（ここでは第２排出トレイ１７１）にユーザーが手に取ったシートを戻した場合で、第２ＬＥＤ１７５を点灯させることによってシートの存在を知らせる事が可能となる。
【００３２】
その後、ユーザーによりシートが取り除かれるまではＣＰＵ２０１ａは第２ＬＥＤ１７５を点灯し続ける。ＣＰＵ２０１ａは、第２トレイセンサ１７３がＯＦＦであってシートが無いと検知すると（Ｓ１０９）、ＣＰＵ２０１ａはＬＥＤ制御部２４０に第２ＬＥＤ１７５を消灯させる（Ｓ１１０）。
【００３３】
なお、ＣＰＵ２０１ａは、Ｓ１０５において第１ＬＥＤ１７４を消灯させた後、一定時間以上、第１トレイセンサ１７２がＯＦＦかどうかを判断する（Ｓ１０６）。ここで、一定時間内で第１トレイセンサ１７２がシートありを検知したら（Ｓ１０６の判断でＮＯ）、ユーザーが自分宛ての書類ではないため、同じ第１排出トレイ１７０にシートを戻したことが想定される。したがって、ＣＰＵ２０１ａは、第１ＬＥＤ１７４を点灯する（Ｓ１０３）。
【００３４】
また、ＣＰＵ２０１ａは、Ｓ１０６において一定時間以上第１トレイセンサ１７２がＯＦＦであって、第２トレイセンサ１７３もＯＦＦなら（Ｓ１０７のＮＯ）、ユーザーがシートを持ち出したと判断して、終了となる。
【００３５】
次に、複数枚のシートを排出した際における第１ＬＥＤ１７４及び第２ＬＥＤ１７５の点灯に関する制御について、図４のフローチャートを用いて説明する。
【００３６】
ファクシミリ受信部２９０で受信した画像データはコントローラ部３００を通じて画像制御部１４９に送られる（Ｓ２０１）。ＣＰＵ２０１ａは操作部２００によって排出先として設定された排出トレイに複数のシートを排出するように排出ソレノイド１８１を制御する（Ｓ２０２）。なお、ここでの説明では、複数の排出トレイのうち、排出先として設定された排出トレイが第１排出トレイ１７０であるとして説明する。
【００３７】
ＣＰＵ２０１ａは、第１排出トレイ１７０上にシートがあると第１トレイセンサ１７２に基づいて判断すると、ＬＥＤ制御部２４０に第１ＬＥＤ１７４を点灯させる（Ｓ２０３）。第１トレイセンサ１７２により第１排出トレイ１７０のシートを検知した（Ｓ２０４のＹＥＳ）状態で、ＣＰＵ２０１ａは、第２トレイセンサ１７３の信号の状態を判断する（Ｓ２０５）。ここで、第２トレイセンサ１７３がＯＮであって第２排出トレイ１７１にシートがあったら（Ｓ２０５のＹＥＳ）以下のような状態であることが想定される。即ち、ユーザーが第１排出トレイ１７０にあるシートの一部を手に取り確認したが自分宛ての書類ではない為、第２排出トレイ１７１に取り出したシートを置いたことが想定される。そこで、ＣＰＵ２０１ａは、第２トレイセンサ１７３がＯＮなら（Ｓ２０５のＹＥＳ）、第２ＬＥＤ１７５を点灯する（Ｓ２０６）。
【００３８】
その後、ユーザーにより第２排出トレイ１７１上のシートが取り除かれるまでは、ＣＰＵ２０１ａは第２ＬＥＤ１７５を点灯し続ける。ＣＰＵ２０１ａは、第２トレイセンサ１７３がＯＦＦであってシートなしを検知すると（Ｓ２０７のＹＥＳ）、ＬＥＤ制御部２４０に第２ＬＥＤ１７５を消灯させる（Ｓ２０８）。ＣＰＵ２０１ａは、ユーザーにより第１排出トレイ１７０上のシートが取り除かれるまではＬＥＤ制御部２４０に第１ＬＥＤ１７４が点灯させ続ける。言い換えると、ＣＰＵ２０１ａは、第１トレイセンサ１７２がＯＦＦであってシートなしを検知すると（Ｓ２０９のＹＥＳ）、ＬＥＤ制御部２４０に第１ＬＥＤ１７４を消灯させる（Ｓ２１０）。
【００３９】
ところで、Ｓ２０５にて第２トレイセンサ１７３がＯＦＦ（シートなし）のままであればユーザーが第２排出トレイ１７１にシートを置いていないと想定される。そこで、ＣＰＵ２０１ａは、Ｓ２０５でＳ２０５にて第２トレイセンサ１７３がＯＦＦ（Ｓ２０５でＮＯ）と判断したら、Ｓ２０９に移行する。
【００４０】
Ｓ２０４においてＮＯ、即ち、ユーザーによって第１排出トレイ１７０上のシートのすべてが取られたら、ＣＰＵ２０１ａは、ＬＥＤ制御部２４０に第１ＬＥＤ１７４を消灯させる（Ｓ２１１）。そして、ＣＰＵ２０１ａは、ユーザーが操作部２００により変更可能な一定時間、第１トレイセンサ１７２がシート無し（ＯＦＦ）を検知するかどうかを判断する（Ｓ２１２）。
【００４１】
第１トレイセンサ１７２が一定時間、シート無し（ＯＦＦ）を検知したら（Ｓ２１２でＹＥＳ）、Ｓ２１３において第２トレイセンサ１７３がシート有り（ＯＮ）かどうかをＣＰＵ２０１ａは判断する。Ｓ２１３でＹＥＳならば、ユーザーが第１排出トレイ１７０にあるシートを手に取り確認したが自分宛ての書類ではない為、第２排出トレイ１７１に置いたことが想定される。そこで、ＣＰＵ２０１ａは第２トレイセンサ１７３がシート有り（Ｓ２１３でＹＥＳ）ならば、ＣＰＵ２０１ａはＬＥＤ制御部２４０に第２ＬＥＤ１７５を点灯させる（Ｓ２１４）。その後、ユーザーによりシートが取り除かれるまではＣＰＵ２０１ａはＬＥＤ制御部２４０に第２ＬＥＤ１７５が点灯し続けさせる。第２トレイセンサ１７３がシート無し（ＯＦＦ）を検知すると（Ｓ２１５のＹＥＳ）、ＣＰＵ２０１ａはＬＥＤ制御部２４０に第２ＬＥＤ１７５を消灯させる（Ｓ２１６）。
【００４２】
なお、Ｓ２１２で一定時間内に第１トレイセンサ１７２がシートを検知（Ｓ２１２のＮＯ）すると、ユーザーが自分宛ての書類ではない為また同じ第１排出トレイ１７０にシートを戻したことが想定される。そこで、Ｓ２１２のＮＯなら、ＣＰＵ２０１ａはＬＥＤ制御部２４０に第１ＬＥＤ１７４を点灯させる（Ｓ２０３）。また、第２排出トレイ１７１上の第２トレイセンサ１７３がシート無し（ＯＦＦ）のままであれば（Ｓ２１３のＮＯ）、ユーザーがシートを持ち出したと判断し、終了となる。
【００４３】
ファックスの場合、第１排出トレイ１７０や第２排出トレイ１７１に排出されたシートにユーザーは気づきにくい。そこで、以上の説明では受信したファックスデータに基づいた画像が形成されたシートが排出された場合、第１、第２ＬＥＤ１７４、１７５を点灯させる形態を例示した。しかしながら、画像読取部が読み取った画像に基づいた画像が形成されたシートを排出する複写動作の場合も同様な第１、第２ＬＥＤ１７４、１７５の点灯制御を行ってもよい。また、複写動作の場合には第１、第２ＬＥＤ１７４を点灯させる必要がファックスの場合と比較して少ないので、複写動作の場合には第１、第２ＬＥＤ１７４，１７５を点灯させないようにしてもよい。また、以下のようにしてもよい。ファックスの場合、シートが残っているトレイに対応した第１、第２ＬＥＤ１７４，１７５を点灯させつづけ、複写動作の場合にはシートが残っていていても所定時間後に第１、第２ＬＥＤ１７４、１７５を消灯させる。
【００４４】
第１、第２ＬＥＤ１７４、１７５の点灯を、第１トレイセンサ１７２や第２トレイセンサ１７３がシートを検知したことに基づいて開始する形態を例示した。しかしながら、例えば、シートへの画像の形成動作を開始する時期に、即ち、排出されたシートを第１、第２トレイセンサ１７２、１７３が検知する前に、第１、第２ＬＥＤ１７４、１７５の点灯を開始させるようにしてもよい。
【００４５】
以上の説明では、第１ＬＥＤ１７４を第１排出トレイ１７０に設け、第２ＬＥＤ１７５を第２排出トレイ１７１に設ける形態を例示した。しかし、点灯によってユーザーに排出トレイ上にシートがあることを示してシートの存在に気付かせられればよいので上記の形態に限らない。例えば、以下のようにしてもよい。第１ＬＥＤ１７４を第１排出トレイ１７０上のシートを照らすように第１排出トレイ１７０の上方であって画像読取部１５０の下部に設ける。第２ＬＥＤ１７５を第２排出トレイ１７１上のシートを照らすように第２排出トレイ１７１の上方であって第１排出トレイ１７０の下部に設ける。
【符号の説明】
【００４６】
２００  操作部
１７０  第１排出トレイ
１７１  第２排出トレイ
１７２  第１トレイセンサ
１７３  第２トレイセンサ
１７４  第１ＬＥＤ
１７５  第２ＬＥＤ
【図１】
2019081651.tif 000003
【図２】
2019081651.tif 000004
【図３】
2019081651.tif 000005
【図４】
2019081651.tif 000006